Podtech/llm-jp-corpus-v4-ja_patent huggingface dataset:
(57)【要約】【課題】かごに同乗していた第三者がかご内の位置表示器を見ても、利用者が降りた階床を特定しにくいエレベータのかご内位置表示器を得る。【解決手段】エレベータのかご１０内に設けられて、かご呼びを登録するための行先階を、利用者の表札、ニックネーム、または絵文字で識別表示する行先階釦２と、前記かご１０内に設けられて、前記かごの到着階床を、利用者の表札、ニックネーム、または絵文字で識別表示する位置表示器３と、前記行先階釦２によるかご呼び登録に基づいて対応する階床にかごを運転し、かごの到着時に前記位置表示器３に前記識別表示を行う制御手段４とを備えた。【選択図】図１
2007176669.tif 000002
【特許請求の範囲】
【請求項１】
エレベータのかご内に設けられて、かご呼びを登録するための行先階を、利用者の表札、ニックネーム、または絵文字で識別表示する行先階釦と、
前記かご内に設けられて、前記かごの到着階床を、利用者の表札、ニックネーム、または絵文字で識別表示する位置表示手段と、
前記行先階釦によるかご呼び登録に基づいて対応する階床にかごを運転し、かごの到着時に前記位置表示手段に前記識別表示を行う制御手段と
を備えたエレベータのかご内位置表示器。
【請求項２】
前記行先階釦と前記位置表示手段は、かご操作盤に設けられたことを特徴とする請求項１に記載のエレベータのかご内位置表示器。
【発明の詳細な説明】
【技術分野】
【０００１】
この発明は、エレベータのかご内位置表示器に関するものである。
【背景技術】
【０００２】
マンション等居住用ビルのエレベータは、エレベータ利用者がかご内の行先階釦を押圧することにより、かごが目的階ヘサービスし位置表示器に目的階床を表示させた上で利用者が降車していた。それ故、エレベータかご内に利用者が乗車していた場合に、他のエレベータ乗場にいる第三者等に利用階が分かってしまい、プライベートの確保ができないという問題が生じていた。特に、近年のストーカー問題などを考慮すると、特に建物が住居用マンション等であった場合に、外出先から戻って居住階までエレベータかごにて移動する際、エレベータかご内に利用者が乗車して扉を閉めた直後等に同じエレベータ乗場に他の利用者がいた場合、先に利用していた人が何階で下車したのかが乗場側のかご位置表示器の表示によって認識できてしまうことから、精神的な苦痛を強いられるという問題があった。
【０００３】
かかる問題点を解決するために、かご位置表示をエレベータかごの現在位置に対応しない守秘運転表示状態へと切り換える守秘運転選択釦を備えることにより、乗場側の位置表示器は目的階床を表示しないようにしたエレベータ装置が提案されている（例えば、特許文献１参照）。
【０００４】
【特許文献１】特開２００３−３３５４７１号公報
【発明の開示】
【発明が解決しようとする課題】
【０００５】
しかしながら、かごに同乗していた第三者へは、エレベータ利用者の居住階床をかご内の位置表示器に表示させた上で利用者が降車していた為、利用者の居住階床を知られてしまうという課題があった。
【０００６】
この発明は上記課題を解消するためになされたもので、かごに同乗していた第三者がかご内の位置表示器を見ても、利用者が降りた階床を特定しにくいエレベータのかご内位置表示器を得ることを目的とする。
【課題を解決するための手段】
【０００７】
この発明に係るエレベータのかご内位置表示器は、エレベータのかご内に設けられて、かご呼びを登録するための行先階を、利用者の表札、ニックネーム、または絵文字で識別表示する行先階釦と、前記かご内に設けられて、前記かごの到着階床を、利用者の表札、ニックネーム、または絵文字で識別表示する位置表示手段と、前記行先階釦によるかご呼び登録に基づいて対応する階床にかごを運転し、かごの到着時に前記位置表示手段に前記識別表示を行う制御手段とを備えたものである。
【発明の効果】
【０００８】
この発明によれば、かごに同乗していた第三者がかご内の位置表示器を見ても、階床を数字で表示しなく、利用者の表札、ニックネーム、または絵文字で識別表示することで、利用者が降りた階床を特定しにくいエレベータかご内の位置表示器を得ることができる。
【発明を実施するための最良の形態】
【０００９】
実施の形態１．
図１は、この発明の実施の形態に係るエレベータのかご内位置表示器の構成を示すブロック図である。図１に示すように、エレベータのかご内位置表示器は、エレベータ乗りかご１０内のかご操作盤１に設けられて、かご呼びを登録するための行先階を、利用者の表札、ニックネーム、または絵文字で識別表示する行先階釦２と、かごの到着階床を、利用者の表札、ニックネーム、または絵文字で識別表示する位置表示器３と、行先階釦２によるかご呼び登録に基づいて対応する階床にかごを運転し、かごの到着時に位置表示器３に識別表示を行う制御手段４とを備えている。なお、５はエレベータ利用者、６は第三者を示す。
【００１０】
次に、この実施の形態の動作を、主に、制御手段４による動作内容を示す図２に示すフローチャートを参照して説明する。まず、エレベータ利用者５がかご１０内の表札が明記されている行先階釦２を押圧する（ステップＳ１）。制御手段４は、押圧された行先階釦２が何階の居住階床に対応するかを判断し呼び登録し、その階床階までかごを運転する（ステップＳ２）。なお、制御手段４には、表札が明記されている行先階釦２の居住階床が予め設定されている。
【００１１】
かご呼び登録した階床すなわち居住階に到着すると、制御手段４は、かご内の位置表示器３に行先階釦２で押圧した表札名を表示させる（ステップＳ３，Ｓ４）。エレベータ利用者５は〔居住階＝表札名〕で降車する。
【００１２】
また、制御手段４は、居住階に降車するエレベータ利用者が複数人いる場合には、位置表示器３へ複数人の表札を表示する（ステップＳ５，Ｓ６）。表示の仕方は順々に表札を表示する、もしくは、表札をまとめて位置表示へ表示することとする。
【００１３】
なお、上記実施の形態では、行先階釦２及び位置表示器３が表札を表示する例について述べたが、その他、ニックネームまたは絵文字で識別表示しても良い。
【００１４】
従って、上記実施の形態によれば、かごに同乗していた第三者６がかご内の位置表示器を見ても、停止階床が数字で表示されなく、エレベータ利用者５の表札、ニックネーム、または絵文字で識別表示されるので、エレベータ利用者５が降りた階床を特定しにくいものとなる。
【図面の簡単な説明】
【００１５】
【図１】この発明の実施の形態に係るエレベータのかご内位置表示器の構成を示すブロック図である。
【図２】この発明の実施の形態に係る動作を説明するもので、主に、制御手段４による動作内容を示すフローチャートである。
【符号の説明】
【００１６】
１  かご操作盤、２  行先階釦、３  位置表示器、４  制御手段、５  エレベータ利用者、６  第三者、１０  エレベータ乗りかご。
【図１】
2007176669.tif 000003
【図２】
2007176669.tif 000004
(57)【要約】【課題】  現代はごみ分別の数が増え、それに対応することができ、ごみ収集日まで臭わずに保管することができるごみの分別ダストボックスを提供します。【解決手段】  ごみ分別ダストボックス内をペールと呼ばれるダストバケツで区切るのではなく側面横板３に掛けてある紙袋１２の中で完全に乾かしてから下に置かれた紙袋１５，１６，１７，１８，１９で仕分けするので臭いが出ることがない。また紙袋が汚れてきたら別の紙袋に変えればよいので今までのようにペールを洗う必要がなくなる。【選択図】図３
2007176700.tif 000002
【特許請求の範囲】
【請求項１】
ごみ分別のためのダストボックスを従来のペールと呼ばれるプラスッチック製のダストボックスで仕分けするのではなく、きれいに洗ったいろいろな種類のごみを仕切りのないダストボックス内に掛けてある紙袋の中で乾かしてからダストボックス内の紙袋で分別するダストボックスを提案します。
【発明の詳細な説明】
【技術分野】
【０００１】本発明はごみの分別をするためのダストボックスをダストボックス内に掛けてある紙袋の中でのごみの完全な乾燥と紙袋による仕分けによってごみの分別をするようにしたものである。
【背景技術】
【０００２】従来の分別ごみボックスはボックス内にペールと呼ばれるポリバケツの縦長でダストボックスにあった形のもので区切って仕分けしていた。また仕分けの数が２〜４ヶぐらいしかないので、現代の細かい分別には足りない。また、ペールの中に保菅するので洗ってから入れても乾ききることがないので臭いが出る。
【発明の開示】
【発明が解決しようとする課題】
【０００３】従来のダストボックスは分別の数が２〜４ヶぐらいと少ないため、現代のごみの分別の数（ビン類、アルミ缶、スチール缶、ペットボトル、牛乳パック、肉などのトレー、豆腐などのプラスッチック類、電池、電球、スプレー類、食器のわれものなど。）には足りない。また、ごみの分別をペールと呼ばれるポリバケツ状のもので行っていたので、ごみをきれいに洗ってから捨ててもそのごみが乾ききることがなく臭いがするし、不衛生であった。
【課題を解決するための手段】
【０００４】前項で述べたような課題を解決するためにダストボックス内の仕切りを無くし、図３のように側面横板３に紙袋１２を掛けておき、そこにきれいに洗ったごみをいったん入れて乾かします。（側面横板に紙袋を掛けて乾かすのは紙袋の通気性を良くし乾燥力を高めるためと、板にもたれ掛からせることによってごみを入れやすくするため、また紙袋を安定よく固定するためである。）ごみが乾いたらボックス下に置いてある紙袋１５，１６，１７，１８，１９に分別してごみの日まで保管する。またもう少し空いている側面横板３部分に他の紙袋１３を掛けその他のごみ、例えば使用済み電池などを入れると良い。また側面横板３に牛乳パックを洗って開いたものを入れる袋１１や肉などトレーを入れる袋１４を掛けてあるので牛乳パックやトレーは洗って軽く水を切りすぐにこの袋の中で乾燥できるので台所の水まわりがこれらのごみでいっぱいになることもない。また図３にように長い棒状の蛍光灯２１を正面板５のところに立て掛けてひも２０でとめておく。一番下にこのダストボックスの強度を高めるために引き出し６をつける。そしてこの引き出し６にはこのダストボックスで使う紙袋などを収納する。
【発明の効果】
【０００５】本発明のごみ分別ダストボックスは従来のペールによって分ける方法とは違い、ボックス内の側面横板３に引っ掛けてある紙袋１２の中で洗ったごみを完全に乾かしてからダストボックス底板４部分に置かれたいくつかの紙袋１５，１６，１７，１８，１９で分別するので夏でも臭うことはありません。扉２にはドア空気穴１０と側面横板３には通気穴９が開いているのでごみの乾きはより一層まします。またダストボックス内に仕切りがないので各地域でのごみ分別の数だけ袋の数を増やすことができ、ごみ収集日まできれいに保管することができます。また紙袋に仕分けするので汚れたら他の紙袋に取り替えればよいのでペールを洗うというような手間がなくなります。
（イ）図３のように正面板５に長い棒状の蛍光灯２１など立て掛けてひも２０で押さえて支えることができるので、長い物も保管できる。
（ロ）正面板５に両端にフックを付けそこにひも２０を取り付けて使用する。
（ハ）大きさについては高さは冷蔵庫ぐらい，横幅は６０ｃｍぐらい，奥行きは４０ｃｍぐらいあれば収納できる。素材は天然木などが良いと思う。
【実施例】
【０００６】側面横板３に牛乳パックを洗って開いたものを入れる袋１１や肉などのトレーを入れる袋１４を掛けてあるので牛乳パックやトレーは洗って軽く水を切りすぐにこの袋の中で乾燥できるので、台所の水まわりでこれらのものを乾かす家が多いが本発明を利用することで牛乳パックやトレーで水まわりがいっぱいになることもなくなります。
【図面の簡単な説明】
【０００７】
【図１】本発明の正面図である。
【図２】本発明の扉を開けた状態の正面図である。
【図３】本発明の使用図である。
【図４】本発明の立体図である。
【図５】本発明を真横から見た図である。
【図６】本発明の扉を開けた状態の立体図である。
【図７】ひも２０の一例の図である。
【符号の説明】
【０００８】  １  ダストボックス本体
２  扉
３  側面横板
４  ダストボックス底板
５  正面板
６  引き出し
７  取っ手
８  キャスター
９  通気穴
１０  ドア空気穴
１１  牛乳パックを洗って開いたものを入れる袋
１２  資源ごみを洗ったものを乾かす袋
１３  使用済み電池を入れる袋
１４  肉などのトレーを入れる袋
１５  アルミ缶を入れる袋
１６  スチール缶を入れる袋
１７  ビンを入れる袋
１８  ペットボトルを入れる袋
１９  豆腐などのプラスチックを入れる袋
２０  ひも
２１  長い棒状の蛍光灯
【図１】
2007176700.tif 000003
【図２】
2007176700.tif 000004
【図３】
2007176700.tif 000005
【図４】
2007176700.tif 000006
【図５】
2007176700.tif 000007
【図６】
2007176700.tif 000008
【図７】
2007176700.tif 000009
(57)【要約】      （修正有）【課題】歯治療用の修復材として、機械的性質が優れ、咬合圧による破折や咀嚼による摩耗が起こりにくい材料及び処置方法の提供。【解決手段】歯質に塗布してレーザー照射することにより、歯質のアパタイトと溶融一体化して、セラミックシーラント１を形成可能なセラミック粉末。セラミック粉末の成分としては、水酸化アパタイト、フルオロアパタイト、α−ＴＣＰ、β−ＴＣＰ、ＴＴＣＰ、フロロケイ酸アルミニウムガラス、珊瑚、炭酸カルシウム、酸化亜鉛からなる。【選択図】図１
2007176914.tif 000002
【特許請求の範囲】
【請求項１】
歯質にセラミック粉末を塗布してレーザー照射することにより歯質のアパタイトと溶融一体化することを特徴とするセラミック粉末。
【請求項２】
エナメル質および象牙質にセラミック粉末を塗布してレーザーを照射することにより歯質のアパタイトと溶融一体化するセラミック粉末の成分が、水酸化アパタイト、フルオロアパタイト、α−ＴＣＰ、β−ＴＣＰ、ＴＴＣＰ、フロロケイ酸アルミニウムガラス、珊瑚、炭酸カルシウム、酸化亜鉛であることを特徴とするセラミック粉末。
【請求項３】
歯牙の小窩及び裂溝部にセラミック粉末を塗布して、レーザーを照射して歯質のアパタイトと溶融一体化し、セラミックシーラントを形成することを特徴とするセラミック粉末。
【請求項４】
エナメル質および象牙質に水酸化アパタイト、フルオロアパタイト、α−ＴＣＰ、β−ＴＣＰ、ＴＴＣＰ、アルミノシリケートガラス、珊瑚、炭酸カルシウム、酸化亜鉛を成分とするセラミック粉末を塗布し、レーザー照射することにより歯牙の硬組織と溶融一体化し、強固で耐酸性の高い硬組織相を形成するか、又はフッ素徐放性を有することを特徴とするセラミック粉末。
【請求項５】
窩洞形成を行なった窩低部の象牙質表面のスメア層上に、セラミック粉末を塗布し、レーザーを照射することによりアパタイトと粉末は溶融し一体化することを特徴とするセラミック粉末。
【請求項６】
窩洞形成を行なった窩低部の象牙質表面のスメア層に、水酸化アパタイト、フルオロアパタイト、α−ＴＣＰ、β−ＴＣＰ、ＴＴＣＰ、アルミノシリケートガラス、珊瑚、炭酸カルシウム、酸化亜鉛を成分とするセラミック粉末を塗布し、レーザー照射することによりセラミック粉末とスメア層のアパタイトが溶融一体化し、強固な硬組織形成と、象牙細管を封鎖することを特徴とするセラミック粉末。
【請求項７】
窩洞形成を行なった窩低部の象牙質表面にセラミック粉末を塗布し、レーザー照射により溶融一体化し、無菌状態にするとともに、コンポジットレジン修復における接着性に優れた硬組織相を形成することを特徴とするセラミック粉末。
【発明の詳細な説明】
【技術分野】
【０００１】  本発明は、歯科治療特に歯科保存修復におけるセラミック粉末を使用したレーザー治療に関する。
【背景技術】
【０００２】  第一に、従来からウ蝕予防用のレジン系及びアイオノマー系シーラントは、機械的性質が劣るため、咬合圧による破折や咀嚼による磨耗が起こりやすく、短期毎の検診や再修復が必要である。【０００３】  第二に、また、実質欠損を伴うレジン充填の際には窩洞形成を行なった窩洞部の象牙質表面はスメア層に覆われているため酸処理を行なってスメア層を除去した後、プライマー、ボンディング材処理を行なってからレジン充填を行なわなくてはならないため、操作が煩雑であり、かつ無菌状態で治療を完了することが難しい。【０００４】  第三に、レジン充填後に辺縁からの微少漏洩が生じると細菌感染による歯髄への影響が懸念される。
【発明の開示】
【発明が解決しようとする課題】
【０００５】  第一の課題として、レジン系及びアイオノマー系シーラントは、歯牙表面を酸により脱かいして接着する方法をとるため強度が十分でなく、磨耗や咬合圧により破折することもあり、歯牙の咬合面は解剖学的に溝なども深く  完全に消毒してからレジン系及びアイオノマー系シーラントを行なうことには難があった。【０００６】  第二の課題として、窩洞形成を行いレジン充填を行なうとき、治療を簡素化するとともに、無菌状態での修復を課題とした。【０００７】  本発明は、前記第一の課題及び第二の課題を解決するものであり、歯科医療技術のいっそうの向上を実現することを目的とするものである。
【課題を解決するための手段】
【０００８】  本発明は、第一の課題を解決するために、セラミック系粉末をレーザーによって溶融するタイプのシーラントとした。【０００９】  第二の課題を解決するために、窩洞形成後窩低象牙質のスメア層の表面にセラミック粉末を塗布し、低出力のレーザー照射を行なうこととした。表面のアパタイトとセラミック粉末は溶融、一体化し、無菌化されると同時に象牙細管の閉鎖も行なわれ、その後表面にボンディング材塗布し、レジン充填を行なう手段をとった。
【発明の効果】
【００１０】  以下、本発明の実施の形態を図１および図２に基づいて説明する。【００１１】  図１においては、歯牙２の小窩裂溝に、セラミック粉末を塗布後レーザー照射を行い歯質にセラミック粉末が溶融一体化したセラミックシーラント１の状態である。【００１２】  図２においては、窩洞形成後のスメア層に、セラミック粉末を塗布後レーザー照射を行い歯質と溶融いったいかしたエナメル質及び象牙質の改質材１０であり、その上部に充填を行なう。
【産業上の利用可能性】
【００１３】  上述したように、本発明のセラミック粉末はレーザー照射にて、歯質と溶融一体化してシーラントの強度を確実なものとして、さらに窩洞形成後のスメア層と溶融一体化することで充填を簡素化するとともに、無菌処置を可能とすることで確実な治療を提供できる。
【図面の簡単な説明】
【００１４】
【図１】セラミックシーラントの断面図
【図２】窩洞形成充填時の断面図
【符号の説明】
【００１５】      １  セラミックシーラント
２  歯牙
３  エナメル質
４  象牙質
５  歯髄
６  歯肉
１０  セラミック粉末
１１  歯牙
１２  エナメル質
１３  象牙質
１４  歯髄
１５  歯肉
１６  充填物
１７  スメア層
【図１】
2007176914.tif 000003
【図２】
2007176914.tif 000004
(57)【要約】      （修正有）【課題】熱力学的に安定な、半水和物（タイプＢ）である、結晶形の４″−デオキシ−４″−エピ−メチルアミノアベルメクチンＢ１ａ／Ｂ１ｂの安息香酸塩、その製造方法の提供。【解決手段】結晶形Ａ、Ｃ又はＤの化合物を約50〜60℃の有機溶媒に溶解し、必要量の水で処理し、タイプＢの結晶を接種し、約15〜30℃に冷却し、該温度で約２〜４時間熟成させ、さらに約１〜２時間かけて約５℃に冷却する。結晶性物質を濾過して回収し、真空下に乾燥する。【選択図】なし【特許請求の範囲】
【請求項１】
実質的に純粋な形態の半水和物（タイプＢ）である、結晶性化合物４”−デオキシ−４”−エピ−メチルアミノアベルメクチンＢ１ａ／Ｂ１ｂの安息香酸塩。
【請求項２】
農業昆虫の防除法であって、そのような農業昆虫に感染した領域に有効量の請求項１に記載の安定な塩を適用することを含む方法。
【請求項３】
不活性担体及び有効量の請求項１に記載の安定な塩を含む植物又は植物製品の昆虫による感染を処置するのに有用な組成物。
【発明の詳細な説明】
【背景技術】
【０００１】
４″−デオキシ−４″−エピ−メチルアミノアベルメクチン（avermectin）Ｂ１ａ／Ｂ１ｂの安息香酸塩は公知であり、且つ欧州特許出願公開第0465121-A1号明細書（特開昭53-6294）に記載のように安定な塩であることが知られている。従前知られた塩酸塩よりも安定性が増したために、この重要な農業用殺虫剤の貯蔵寿命が著しく伸びた。
【０００２】
発明の要旨
本発明は、公知の農業用殺虫剤である、４″−デオキシ−４″−エピ−メチルアミノアベルメクチンＢ１ａ／Ｂ１ｂ安息香酸塩の４種の結晶形のうちで、最も安定な形態及びその製造法に関する。
【０００３】
確認された４種の結晶形は、Ａ、Ｂ、Ｃ及びＤ形と称され、その中の３種（Ｂ、Ｃ及びＤ）は水和物である。熱力学的に最も安定な結晶形は半水和物Ｂである。最も安定な結晶形を見い出し、該結晶形製品の製造法を案出したことは、貯蔵中に別の結晶形に転換されない結晶均質性を有する原材料を提供するという点で極めて重要である。
【０００４】
Ｂ型結晶形の新規な製造法は、調節量の水を含む有機溶媒から該化合物を結晶化させることを含む。
【０００５】
本発明の新規化合物は、実質的に純粋な形態の半水和物である、結晶性４″−デオキシ−４″−エピ−メチルアミノアベルメクチンＢ１ａ／Ｂ１ｂの安息香酸塩である。
【０００６】
該化合物は、以下の構造式：
【０００７】
【化１】
2007176946.tif 000002
〔式中、Ｒは−ＣＨ3（Ｂ１ａ）又は−Ｈ（Ｂ１ｂ）であり、結晶形Ｂ、タイプＢ又は類似の名称で呼ぶ〕を有する。
【０００８】
開放カップ中、窒素流下に20℃／分の昇温速度で測定された示差走査熱量（ＤＳＣ）曲線は、74℃のピーク温度を有する比較的広幅の脱水吸熱及び56ジュール／gmの熱を伴い、補外により150℃とされる開始温度と155℃のピーク温度を有する主要な融解/分解吸熱を特徴としている。Ｂ型のＸ線粉末回折パターンは、18.13、9.08、8.68、5.03、4.61、4.53、3.97及び3.82Åのｄ−間隔を特徴としている。水溶度はｐＨ依存性である。ｐＨ５の酢酸塩緩衝液中では、0.32mg/mlの溶解度を有する。
【０００９】
本発明の新規方法は、水性有機溶媒から任意のエネルギー状態の化合物を再結晶することを含む。
【００１０】
該新規な方法に有用な水性有機溶媒は、２〜４ｗ／ｗ％の水を含むアセトニトリル、0.5〜0.8ｗ／ｗ％の水を含むメチルｔ−ブチルエーテル（ＭＴＢＥ）又は0.1〜0.3ｗ／ｗ％の水を含むイソプロパノール（ＩＰＡ）であるのが好ましい。
【００１１】
結晶形Ａ、Ｃ又はＤの化合物を約50〜60℃の有機溶媒に溶解し、必要量の水で処理し、タイプＢの結晶を接種し、約15〜30℃に冷却し、該温度で約２〜４時間熟成させ、さらに約１〜２時間かけて約５℃に冷却する。
【００１２】
結晶性物質を濾過して回収し、真空下に乾燥する。
【００１３】
本明細書に記載の安息香酸塩及びその遊離塩基の有用性及び使用法は当業者には周知であり、EP0465121号明細書のような科学及び特許文献に十分に記載されている。
【００１４】
本発明化合物は、ヒト及び動物の健康並びに農業用に、駆虫性の外部寄生虫撲滅剤、殺虫剤及び殺ダニ剤として優れた寄生虫撲滅活性を有している。農業用殺虫剤としては、該化合物は、Tribolium属、Tenebrio属のような貯蔵穀物の害虫及びクモダニ（Tetranychus属）、アブラムシ（Acyrthiosiphon属）のような農植物の害虫、イナゴ及び植物組織に生息する未成熟段階の昆虫に対する抗虫害活性を有している。該化合物は、土壌線虫及び農業において重要なMeloidogyne属のような植物寄生虫を防除するための殺線虫薬として有用である。該化合物は、南部アワヨトウ（southern army worm）及びマダラテントウ虫（Mexican bean beetle）の幼虫のような他の植物害虫に対しても活性である。
【００１５】
該化合物は、生育中又は貯蔵中の穀物をそのような農業害虫から保護するべく、噴霧、散布、エマルジョンなどの公知技術を用いて適用される。生育中の穀物を処理する場合には、該化合物を１ヘクタール当たり約５〜50gmの割合で投与する。貯蔵穀物を保護する場合には、通常、該化合物を0.1〜10ppm含む溶液を噴霧により投与する。
【実施例】
【００１６】
【表１】
2007176946.tif 000003
50l容量の４首丸底フラスコに、機械撹拌機、Ｎ2入口、熱電対及び漏斗を備えた。該容器にＮ2を通気した後、アセトニトリル（12l、KF=0.2mg/ml）を加え、50〜55℃に温め、タイプＡ材料を充填した。添加完了（30分）後、混合物をさらに10分間窒素雰囲気下に熟成させて、透明な赤茶色の溶液を得た。
【００１７】
追加のアセトニトリル（６l）でバッチを希釈し、水（270ml）を加え、次いでタイプＢ形の種晶（10g）を45℃で加えた。45℃で直ちに結晶の成長が始まり、急速であった。
タイプＢ結晶の形成を確実にするためには、結晶化の開始及び進行の大部分を＞35℃でしなければならない。
【００１８】
バッチを45分かけて20℃に冷却し、2.5時間熟成させた。この期間に結晶性スラリーは濃厚になり、撹拌が困難になった。追加のアセトニトリル（２l）を加え、１時間かけてスラリーを５℃に冷却した。５℃で30分間熟成させた後、スラリーを、濾紙及びポリプロピレンを敷いた直径22インチのＣｅｎｃｏ−Ｌａｐｐ漏斗で濾過した。母液を結晶化容器に再循環させてリンスし、残留生成物を移動させた。ケークを冷たい（２℃）湿潤アセトニトリル（５×４l、それぞれ水中に1.5％（v/v））で洗浄した。約30分間ケークに窒素流を通過させてケークを一部乾燥し、次いでＨｕｌｌ乾燥機に移した。
【００１９】
ケークを真空下（25in.）に30℃で３日かけて恒量に乾燥し、ＧＣにより定量するとアセトニトリル含量は＜0.1重量％であった。バッチ生成物は4.95kgのタイプＢ物質であった。
【００２０】
【表２】
2007176946.tif 000004
(57)【要約】      （修正有）【課題】今まで栞を収納・保存・観賞・コレクションできる物がなかった。【解決手段】その問題を手帳・Ａ４バインダーに収納できる、栞専用のポケットフィルム。【選択図】図２
2007176140.tif 000002
【特許請求の範囲】
【請求項１】
栞を綺麗に収納でき整理がしやすく、コレクションできる便利なポケットフィルム
【発明の詳細な説明】
【技術分野】
【０００１】本発明は栞の保存・整理・観賞などをしやすくコレクションできる栞用ポケットフィルムを提供するものである。
〔背景・技術〕【０００２】カード・切手などコレクションするために、保存・整理観賞を目的としたフィルム・ファイムがあるが、栞にはない。
【発明の開示】
【発明が解決しようとする課題】
【０００３】いままで栞を収納保存できるファイルやフィルム・バインダーなどの収納できる入れ物がない。【０００４】本発明は、今まで収納・保存・整理・観賞・コレクション用のフィルムがない栞の、その問題を解決しようとする物であり、好きな栞をコレクションできる事を実現する事を目的とする物である。
【課題を解決するための手段】
【０００５】栞の大きさにあった、手帳・Ａ４サイズのポケットフィルムの入れ物に、収納できる物である。
【発明の効果】
【０００６】上述したように本発明は、いままで栞を収納できる物がなかった事をポケットフィルムで提供できる。
〔発明の実施するための最良の形態〕【０００７】以下、本発明の実施の形態を図１・２に基づいて説明する。
【図面の簡単な説明】
【０００８】
【図１】手帳用ポケットフィルム
【図２】Ａ４用バインダーポケットフィルム
【図１】
2007176140.tif 000003
【図２】
2007176140.tif 000004
(57)【要約】【課題】従来の車両用簡易テーブルは、作業エリアが小さいテーブル、乗降時に不便なテーブル、及びテーブル機能に対し構造が複雑という各種の問題があった。【解決手段】ドア側は、車両室内天井（上部）からの吊下げ支持、ダッシュボード又は、座席背面からの壁面支持、及び座席中央側は床面（下部）からの支柱支持による三点支持構成により、テーブルの幅、奥行きを大きくし装着したまま使用者の乗降を可能にしかつ構造が簡単で安価なテーブルを提供することができる。【選択図】図１
2007176197.tif 000002
【特許請求の範囲】
【請求項１】
車室内上部からの吊下げ支持する手段と車室内壁面に固着したホルダによる支持と、及び車室内床面からの支柱による支持手段とにより三点支持による構成としたことを特徴とする車両用簡易テーブル。
【発明の詳細な説明】
【技術分野】
【０００１】
本発明は車両室内でパソコンを利用する場合等に便利であり、簡易に着脱できる車両用簡易テーブルに関する。
【背景技術】
【０００２】
従来のこの種のテーブルは、グローブボックスの蓋体開閉によるテーブルがある（特許文献１、２参照。）。
また、グローブボックスにヒンジを介して上下に回動可能に取付けたテーブル（特許文献３参照。）。
【０００３】
その他に、後部座席用として座席アームレストに着脱可能なテーブル（特許文献４参照。）、座席の背もたれに背負った形で取付けるテーブルがある（特許文献５参照。）。
【０００４】
【特許文献１】特開２０００−３３５３１５号公報
【特許文献２】特開２０００−３３５３１４号公報
【特許文献３】特開平８−３３２８８１号公報
【特許文献４】特開２０００−２７２３９７号公報
【特許文献５】実用新案公報  第３０５３９２８号
【発明の開示】
【発明が解決しようとする課題】
【０００５】
以上に述べた簡易テーブルは、テーブルサイズが小さくパソコン及び周辺機器テンキー、マウス等の使用ができないうえ乗降に不便であり構造が複雑な問題があった。
【０００６】
本発明は車室内上部からの吊下げ支持する手段と車室内壁面に固着したホルダによる支持と、及び車室内床面からの支柱による支持手段とにより三点支持による構成としたことを特徴とする車両用簡易テーブルを提供することを目的とする。
【課題を解決するための手段】
【０００７】
テーブル板１は、支柱２による下部からの支持、ダッシュボード７に固着したホルダ３による壁面からの支持、及び  鎖４による上部からの吊下げによる支持による三点支持による構成とするものである。
【発明の効果】
【０００８】
上述したように本発明の簡易テーブルは、１５インチディスプレイ搭載のノートブックパソコン及び周辺機器テンキー、マウス等の利用ができて、簡単な構造で大きなテーブルを提供できる。
【０００９】
また、簡易テーブルを取付けたまま乗降可能にする。
【発明を実施するための最良の形態】
【００１０】
本発明の実施の形態を図１〜図３に基づいて説明する。
【００１１】
図１は、テーブルを示した装置全体の斜視図である。本装置は、３つの支持により成り立っている。テーブル１を取付けるため、車両室内の天井から吊下げる鎖４とダッシュボード７に固着したホルダ３と支柱２による床面から支承にて取付けられている。
【００１２】
テーブル１は、パソコン等の重量に耐えられる軽くて硬い材質、例えば、木材でできている
【００１３】
ホルダ３は、充分荷重に耐える強度が必要な鋼材でできていて、テーブル１が遊動しないように図２で示すようにボルト６で固定する。
【００１４】
支柱２は図２に示すような抜き差し可能な構造で充分荷重に耐える強度が必要な鋼管でできていてテーブル１に対して垂直に取付ける。
【００１５】
鎖４は、充分引張荷重に耐える強度が必要な鎖で、図３に示すように上部に固着したＬ型金具５にリング９を利用し掛止する。
【００１６】
テーブル１の曲線形７は、乗降時に不便をかけない曲線形状である。
【実施例１】
【００１７】
その他の実施例として各部材の素材や取り付け方法の説明をする。
【００１８】
テーブル１は、プラチック形成、アルミ形成などがある。
【００１９】
支柱２は、塩ビ管、棒状木材などがあり抜き差し構造のほか、折りたたみ式がある。
【００２０】
ホルダ３は、プラチック形成などがある。
【００２１】
鎖４は、ワイヤー、ロープ、プラスチック棒、木材棒などでもよい。
【００２２】
Ｌ型金具５は、プラチック形成などがある。
【００２３】
曲線形状７は、３０から１００Ｒ位の円弧、又は４５度の面取りでも良い。
【図面の簡単な説明】
【００２４】
【図１】本発明の実施例を示しダッシュボードに設けた簡易テーブルの助手席側から見た斜視図である。
【図２】実施形態を示す簡易テーブルのダッシュボードに取付けた断面図である。
【図３】同運転席側から見た斜視図である
【符号の説明】
【００２５】
１  テーブル
２  支柱
３  ホルダ
４  鎖
５  Ｌ型金具
６  ボルト
７  曲線形
８  ダッシュボード
【図１】
2007176197.tif 000003
【図２】
2007176197.tif 000004
【図３】
2007176197.tif 000005
(57)【要約】【課題】      自動車の雨中走行時、ワイパーを利用しないで走行を可能にするシステムを提供する。【解決手段】  雨の付着を防止した複数の小型カメラの映像を、制御部にて選択して運転席のモニターに写し出し、ワイパーレスによる雨中走行を可能とした、ワイパーレス自動車システムを特徴とする。【選択図】図３
2007176488.tif 000002
【特許請求の範囲】
【請求項１】
自動車の前面に雨付着防止小型カメラを複数設け、その映像を運転席モニターに表示し、ワイパーを使用することなく、雨中走行を可能にしたシステム。
【発明の詳細な説明】
【技術分野】
【０００１】  この発明は、雨付着を防止した複数の小型カメラの映像を運転席のモニターに写し出し、雨中走行可能としたワイパーレス自動車システムに関するものである。
【背景技術】
【０００２】  従来、自動車による雨中走行時はワイパーを使用していた。
【発明の開示】
【発明が解決しようとする課題】
【０００３】  これは、次のような欠点があった
（イ）  雨中走行時、雨量によりワイパー可動速度を調整しなければならない。
（ロ）  定期的にワイパーゴムを交換しなければならない。
本発明は、以上のような欠点をなくすためになされたものである。
【課題を解決するための手段】
【０００４】  雨の付着を防止した、複数の小型カメラの映像を、操作部の指示で制御部にて選択して、運転席のモニターに写し出す。
本発明は以上の構成よりなる、ワイパーレス自動車システムである。
【発明の効果】
【０００５】  自動車の雨中走行時にワイパーの必要がなくなった。
その他、以下の効果が得られる。
（イ）停車中にＤＶＤ等の映像機器の大型スクリーン表示が可能となる。
（ロ）映像信号をデジタル処理し、演算処理により衝突予防警告が可能となる。
（ハ）映像信号の記憶により、事故発生の際の原因解明が容易になる。
【発明を実施するための最良の形態】
【０００６】  以下、発明を実施するための最良の形態について説明する。
雨の付着を防止した小型カメラ（１）を自動車の前面（フロントガラス上部等）に設ける。制御部（２）で操作部（３）よりの切替え信号を受け、複数の小型カメラ（１）映像の１つを選択する。選択された映像信号を運転席のモニター（４）に写し出し、雨天での自動車走行を可能にする。
本発明は以上のような構造である。
これを使用する時は、運転席前にモニターをセットし、操作部スイッチにより映像選択を行ない、小型カメラの映像を写し出し、その映像により運転を行なえばよい。
停車中は、ＤＶＤ等よりの映像をモニターに写し出し、大型スクリーンとしての利用も可能である。
小型カメラよりの信号をデジタル処理を行ない、演算処理等を行ない衝突警報を発する等、衝突防止装置としての利用が可能である。
又、映像の記憶、保存も可能である。
【図面の簡単な説明】
【０００７】
【図１】    本発明の基本ブロック図である。
【図２】    本発明の応用ブロック図である。
【図３】    本発明の自動車配置概略図である。
【図４】    本発明の運転席配置概略図である。
【符号の説明】
【０００８】    １  小型カメラ
２  制御部
３  操作部
４  モニター
５  記憶部
６  デジタル処理部
７  演算部
８  警報表示部
【図１】
2007176488.tif 000003
【図２】
2007176488.tif 000004
【図３】
2007176488.tif 000005
【図４】
2007176488.tif 000006
(57)【要約】【課題】通常のシ−トベルト装着までの手順を省略、容易にするための駐車時に、使用する安価なシ−トベルトタングの保持具を提供する。【解決手段】車の乗降にシ−トベルトが邪魔にならないようにシ−トのドア側、側面に重力による、充分な弛みを付けるためのシ−トベルトを必要量分引き出す、センタ−ピラ−のベゼル部８で、シ−トベルトの引き戻しが制限できる該当場所にストッパ−１を取り付ける。シ−トベルト使用時には、前を向いた運転姿勢でシ−ト、ドア側の手を下げた位置に取り付けられたシ−トベルトタングの保持具３から、タング５を掴んで通常のシ−トベトの装着をする。【選択図】図１
2007176472.tif 000002
【特許請求の範囲】
【請求項１】
車に着座してシ−トベルト装着時に、後向きに片手を持ち上げて掴む、ドア側後上方に位置するタングをドア側前下方に、位置変更できることを特徴とするシ−トベルトタングの保持具。
【請求項２】
シ−トベルトの引き戻しを止める軟質材料のストッパ−で構成された請求項１記載のシ−トベルトタングの保持具。
【発明の詳細な説明】
【技術分野】
【０００１】  本発明は、シ−トベルトの装着を容易にするため、乗用車の駐車時に使用する、シ−トベルトタングの保持具に関するものである。
【背景技術】
【０００２】  従来のシ−トベルト装置で、装着性の向上目的のため電気回路やセンサ−類、駆動モ−タ−等をシ−ト周辺に、組み込んだ装置が特許公開されている。現時販売され走行中の多数の乗用車に、この装置を後付けで取り付けるのは、作業性やコスト面で無理があり実際に乗用車に取り付けて、実用に供した装置はない。【０００３】  頻繁に乗降を繰り返す運転者に、装着が便利なようにとシ−トベルトの両端を、ドアの内側末端上下に取り付ける、シ−トベルト装着装置として特許公開されている。しかし車のもっとも弱いドアの窓枠に穴をあけ、ボルトでシ−トベルトの一端を取り付けなければならず、ドアの窓枠の強度が弱くなるという問題が起きる。
【特許文献１】  特開２００４−２５５９９４
【特許文献２】  特開平１０−２４８０２
【発明の開示】
【発明が解決しようとする課題】
【０００４】  解決しようとする問題点は、年々高齢者の運転者が増加している。従来のシ−トベルト装着をするには、ドア側後上方に位置するタングを掴えるために、振り向いて、掴んで、引き降ろす、動作をしなければならない、この動作が健常者には何でもない動作であるが高齢者や身体障害者には、面倒な動作で負担となる原因である。【０００５】  人間は前を向いて後に手が回る構造にはできておらず、シ−トベルト装着の安全性は証明されていても、車を発進させて初期走行中に、シ−トベルトの装着をする運転者が後を断たない、これはシ−トベルトの装着動作が面倒で負担になっているというのが一因であれば、この後上方に位置するタングを、振り向いて、タングを掴んで、引き降ろす、という動作を省略すれば問題は解決できる。
【課題を解決するための手段】
【０００６】  本発明は、前部座席のドア側、側面下部に取り付けるため、運転者は前を向いた運転姿勢で手を下に降ろせば、容易にタングを掴めるのでシ−トベルトの装着が容易になる。
【発明の効果】
【０００７】  本発明は、シ−トベルト装着手順を省略、容易にすることで高齢者や身体障害者に限らず健常者にとっても、車が持つ本来の快適性が向上し、シ−トベルト不着用者の面倒だからという、不着用理由を減じる効果がある。これは危険行為の抑制に繋がり、車の安全性の向上という大目的と一致する。
【発明を実施するための最良の形態】
【０００８】  従来のシ−トベルト装置の、ドア側シ−ト側面後上方の高い位置にあるタングをドア側シ−ト側面前下方の低い位置に、シ−トベルトタングの保持具３を取り付けるため、後上方からのタングの引き降ろしが不要となり、通常のシ−トベルトの装着が容易になる。
【実施例１】
【０００９】  コ−ト等を着用した運転者の乗降に邪魔にならないように、シ−ト側面に自然重力による充分な弛みがとれるだけの必要量を引き出した、シ−トベルトには事故衝撃による人体への影響を避けるために、軟質材料のストッパ−請求項２で引き戻しが止まるように該当する場所に取り付ける。【００１０】  シ−トベルトに取り付け使用されている、タング５は各製造メ−カ−で寸法に大小と長短の違いがあり、それらを容易に差し込み保持ができて、かつ容易に取出し使用できる大きめポケット型の差し込み口に、カバ−１０を取り付けてタングの飛び出しを防止する。【００１１】  車のシ−トに敷くシ−トマット２とシ−トベルトタングの保持具３は一体型としてもよく、又取り付け位置の都合上接着テ−プ４、等で分離と接着ができるようにする。【００１２】  図１は駐車中に使用する本発明の実施形態である。運転者が降車する時にタング５をシ−トベルトタングの保持具３に差込んで降車、車は駐車状態となる。
【産業上の利用の可能性】
【００１３】  本発明に係わるシ−トベルトタングの保持具は、高齢者の運転者、身体障害者、小柄な体格の運転者の人達にとって、利便性向上を目的とする発明である。シ−トと一体化するなどの改良をすれば、ロ−コストの常備品として進化発展し、自動車産業としても利用の可能性を有する。
【図面の簡単な説明】
【００１４】
【図１】  シ−トベルトタングの保持具の実施方法を示した説明図である。（実施例１）
【図２】  シ−トベルトタングの保持具の切断図である。
【符号の説明】
【００１５】  １    ストッパ−
２    シ−トマット
３    シ−トベルトタングの保持具
４    接着テ−プ
５    タング
６    シ−トベルト
７    スライドカバ−
８    ベゼル
９    シ−ト
１０  カバ−
【図１】
2007176472.tif 000003
【図２】
2007176472.tif 000004
(57)【要約】【課題】    本発明は後方視界を、運転席前面のフロントガラスに大きく正確に映し出し、誰でも簡単にこれを見ながら安全バック運転出来るように提供する事にある。【解決手段】自動車の後方座席天井に監視カメラ（３）を設け、リヤーウインドを通して後方視界の画像を入力し、この画像を制御装置（４）および回線（２）を介して、自動車等のフロントガラスの適当なる位置に貼付けて設けた、透明フイルムディスプレイ（１）で、後方視界を画像出力させる。【選択図】図１
2007176471.tif 000002
【特許請求の範囲】
【請求項１】
自動車の後方座席天井に監視カメラ（３）を設け、リヤーウインドを通して後方視界の画像を入力し、この画像を制御装置（４）および回線（２）を介して、自動車等のフロントガラスの適当なる位置に貼付けて設けた、透明フイルムディスプレイ（１）に後方視界を画像出力させてなる、透明フイルムディスプレイを利用した後方視界装置。
【発明の詳細な説明】
【技術分野】
【０００１】  本発明は、自動車の後方視界を運転席のフロントガラスに投影して、誰にでも容易に、安全にバック運転が出来るようにした、後方視界装置の技術に関するものである。
【背景技術】
【０００２】  従来、ドライバーが車をバックさせる際には、後方確認を後ろに振り向きながら、しなけれはならず、また後方の状態を把握しておかなければ、安全に行う事は出来ない。さらに最近は、後方の画面を運転席に小さい液晶ディスプレイで投影するものや音波発振音で後方の障害物との距離を、探知する装置が車に搭載されてきている。
【発明の開示】
【発明が解決しようとする課題】
【０００３】  これは次のような問題点があった。
通常のバック運転の際は、予め後方の状況を良く把握しておく必要があり、車から降りて確認する必要があった。また、鏡面バックミラーを併用しての、後ろを振り向いて運転する必要もあって大変であった。最近は、カーナビのディスプレイ画面に、車外の後方に取り付けた、マイクロカメラにより後方画面を映し出すものが搭載されるようになってきたが、小さくて非常に見にくい物ばかりであり、カメラ等が車外に設置されているので、風雨、雪等で汚れたり、見えなかったり、破損したりで、その精度管理面であてに出来なかった。さらに右左が逆に写るものばかりで、極めて安全な後方画面として信頼に欠けており、やはり車外に降りて後方確認する事が多くなる。また、後方の障害物探知装置の音波発振音たけで、後方障害物の有無を把握するにはかなり安全性には無理が起きている。最近では、上記問題点の範囲に入るが、同じようなものとしては、実用新案登録第３０９６１４８号に見られる後方確認装置がある。
本発明は、このような問題点を改善する為に、なされたものである。
【課題を解決するための手段】
【０００４】  これらの課題を解決する方法としては、自動車内の後方座席の天井に監視カメラ（３）を設置して、リヤーウインドを通して後方視界の画像をクリアーに捕らえる。一方、フロントガラスには最新のノウハウでもって研究開発された、現在の富士通等の透明フイルムディスプレイ（１）を、適当なる位置に貼付けて設ける。そして次に監視カメラ（３）が捕らえた後方視界の画像を、回線（２）を介して、運転席インストルパネル内に設けた、制御装置（４）に送り、さらに制御装置（４）より回線（２）を介して、透明フイルムディスプレイ（１）に接続されて、後方視界の画像をフロントガラスの前記ディスプレイに映し出すのである。この画像は後方正面でカメラが捕らえたものであるから、右左がフロントガラス側では逆になっているので、制御装置にて画像の右左を反転させて、後方視界を正確な車との位置関係に変えてやる。
また、暗い場所に於いてはカメラを赤外線暗視カメラにも変えられるように、制御装置（４）で、簡単に切替えられるように構成されている事がベストである。
本発明は本構成よりなる透明フイルムディスプレイを利用した後方視界装置である。
【発明の効果】
【０００５】  本発明は、運転者がバックギアーに入れると、または制御装置のスイッチを入れると運転席の前方フロントガラス面に広範囲で、後方の視界を大きく映し出すことが出来るので、また右左の画像も逆転せず正しく映し出すので、非常に正確に安全に車をバックさせることができる。また、遠赤外線監視カメラにも制御装置により、簡単に切替え出来るので、真っ暗な場所でも容易に後方視界が大画面で得られ安全である。
【発明を実施するための最良の形態】
【０００６】  本発明は運転者の前方に位置した、フロントガラスに大きな後方視界の画像を映し出し誰でも簡単にバック運転を安全に、且つ正確に出来るよう開発されたものである。
まず本発明では、自動車等内部の後方座席の天井に監視カメラ（３）を設け、リヤーウインドを通して、後方視界の画像を正確にクリアーに捕らえ入力する。この監視カメラ（３）は、暗視赤外線カメラを兼ねたものがベストである。これにより夜間やトンネル内および山林、暗い峠での、真っ暗なところでのバック運転に、その威力が発揮できる。次に、この入力された画像を前記カメラに接続して設けた、回線（２）を介して運転席のインストルパネル内に設けた、制御装置（４）に送る。さらにこの制御装置（４）より回線（２）を介して、フロントガラスに貼付けて設けた、透明フイルムディスプレイ（１）で、後方視界の画像を出力する。【０００７】  これを実施使用する時は、運転者がバックギアーに入れて、車を後方に移動させる態勢に入ると、フロントガラスに貼られた透明フイルムディスプレイ（１）に、後方監視カメラ（３）の後方視界の画像が、映し出される。この画像は従来、前記カメラが後方に向いて画像を捕らえているので、画像は運転席のフロント側正面では右左が逆に移るので、これは前記カメラに対して制御装置（４）により、正規視界画像に修正制御が自由に行われる。この制御装置（４）は運転席のインパネ内に設置されおりバックギアーに入れなくても、手動スイッチにより任意に後方視界の画像を映し出す事も出来る。さらには、暗視赤外線カメラに切替える操作も手動スイッチにより簡単に行うことが出来る。つまり闇夜のような、暗い場所等にはクリアーに後方画像を確認できるように、暗視赤外線カメラを搭載することはベストモードである。
【図面の簡単な説明】
【０００８】
【図１】      本発明の構成図である。
【図２】      本発明のフロントガラスに投影された後方視界画像の説明図である。
【図３】      本発明の車内後方に設置した監視カメラ作動中の説明図である。
【符号の説明】
【０００９】      １  透明フイルムディスプレイ
２  回線
３  監視カメラ
４  制御装置
【図１】
2007176471.tif 000003
【図２】
2007176471.tif 000004
【図３】
2007176471.tif 000005